(57)【特許請求の範囲】
【請求項１】
外筒体と、該外筒体の内部に挿入された内筒体とからなる延伸ブロー二重容器において、
前記外筒体は、首部と、該首部に連なっている肩部、肩部から下方に延びている胴部、及び胴部の下端を閉じている底部とからなり、該肩部、胴部及び底部は、内袋の延伸ブローによって賦形されたものであり、
前記内筒体は、首部と、該首部に連なっており且つ延伸ブローにより賦形された袋状部とからなり、
前記外筒体の肩部の内面と前記内筒体の袋状部の外面との間には、両者を一時的に係合させるための凹凸が形成されており、少なくとも内筒体内に内容物が充填された状態においては、該凹凸が非係合状態に保持されており、これにより、外筒体の内面と内筒体の外面との間に空気層が形成されていることを特徴とする延伸ブロー二重容器。
【請求項２】
前記外筒体の首部には、前記空気層に通じる空気孔が形成されている請求項１に記載の延伸ブロー二重容器。
【請求項３】
前記凹凸は、それぞれ、容器軸方向に延びている請求項１または２に記載の延伸ブロー二重容器。
【請求項４】
何れもが試験管形状を有しており、非成形部である首部と延伸ブロー成形される管状部とを有する外筒体用プリフォームと内筒体用プリフォームとを用意し、該外筒体用プリフォームの内部に内筒体用プリフォームを挿入した状態で延伸ブロー成形を行うことにより延伸ブロー二重容器を製造する方法において、
前記内筒体用プリフォームを外筒体用プリフォームに挿入して二重構造プリフォームを組み立て、
前記二重構造プリフォームの組立体を、外筒体の肩部に一時的係合用凹凸を形成するための凹部または凸部を備えたブロー金型内に配置して延伸ブロー成形を行い、
延伸ブロー成形後に、容器形状に賦形された外筒体と内筒体とを周方向に相対的に位置ずれさせるにより、外筒体及び内筒体に形成されている一時的係合用凹凸を非係合状態に保持することを特徴とする延伸ブロー二重容器の製造方法。
【請求項５】
前記外筒体用プリフォームの首部には、空気孔が形成されている請求項４に記載の製造方法。
【発明の詳細な説明】
【技術分野】
【０００１】
本発明は、延伸ブロー二重容器及びその製造方法に関するものであり、より詳細には、外筒用プリフォームと内筒用プリフォームとからなる二重構造プリフォームを延伸ブロー成形することにより得られる二重構造容器及びその製造方法に関する。
【背景技術】
【０００２】
従来、内筒体と外筒体とからなる二重構造を有している二重構造容器は、例えばデラミボトルとして、醤油等の調味液が収容される容器として実用されている。即ち、かかるデラミボトルは、逆止弁付のキャップと組み合わせで使用されるものであり、ボトルの胴部壁を外部から押圧して凹ませることにより、内筒体に充填されている内容物がキャップに形成されている注出路から排出され、ボトルの胴部壁の押圧を停止することにより内容物の排出を終了させると、空気は逆止弁の作用により、内筒体には導入されず、キャップの注出路とは異なる流路を通って、内筒体と外筒体との間の空間に導入されることとなる。これにより、内筒体は、内容物が排出された分だけ収縮することとなり、内容物を排出する毎に、内筒体が収縮していく。このような方法により内容物が排出されるデラミボトルでは、内容物を小出しできると共に、内容物が充填されている内筒体への空気の侵入が有効に防止されるため、内容物の酸化劣化を有効に回避でき、内容物の鮮度を長期間にわたって保持できるという利点がある。また、内筒体と外筒体の間に一定の空気層を設定することにより、内容物の保温及び保冷効果を有する断熱容器として使用することも可能である。
【０００３】
上述したようなデラミボトルとして使用される二重構造容器は、一般に、ダイレクトブロー成形により製造されている。即ち、溶融押出しにより、二重構造のパイプを形成し、このパイプの下端部をピンチオフし、次いでブロー流体を吹き込むことによりボトルの形態に賦形することにより製造される。
しかるに、ダイレクトブロー成形により二重構造容器を製造する場合には、溶融押出からボトルの成形までの工程が一挙に行われることから、多数個取りが難しく、生産性が低いため、コストが高いという問題がある。また、ダイレクトブロー成形ではオレフィン系樹脂が使用されることが多く、透明性が低いため内容物の視認性に難がある。
【０００４】
このため、延伸ブロー成形による二重構造容器の製造方法が検討されている。即ち、延伸ブロー成形法は、射出成形等により、一旦、試験管形状の容器用プリフォームを成形しておき、このプリフォームを延伸成形温度（ガラス転移点以上融点未満）に加熱し、この状態でブロー流体を吹き込んで容器の形状に賦形するという方法であり、容器用プリフォームの量産が可能であり、生産性が高く、また、容器重量や内容積のバラつきも少なく、安定した品質の容器を製造できるという利点があり、特にコストの低減が可能となるからである。更に、延伸ブロー成形においては透明性の高いＰＥＴ等の樹脂を使用できるため内容物の視認性を向上することも可能となる。
例えば、特許文献１〜３には、このような延伸ブロー成形により二重容器を製造する方法が開示されている。
【０００５】
延伸ブロー成形により二重容器を形成する場合には、外筒体形成用プリフォームの内部に内筒体形成用プリフォームが挿入されて固定された状態で、内筒体形成プリフォームの内部にブロー流体が吹き込まれて成形が行われるため、成形された内筒体の外面と外筒体の内面との間に、如何にして空気を導入するための導入路を確保するかが問題となる。例えば、上述した公知の技術は、空気導入路を形成するために、プリフォームに溝や突条を形成したり或いはプリフォーム底部に空気孔を形成したりするという手段を採用している。このため金型構造も複雑なものとなってしまう。
【０００６】
こうした工夫を施しているにもかかわらず、従来公知の方法により形成された延伸ブロー二重容器では、空気導入路が有効に機能しない場合があり、内筒体と外筒体との間に空気が効果的に補給されず、このため、内容物の排出を繰り返すごとに、内容物の排出が困難になっていくという問題があった。即ち、内筒体と外筒体との間に空気が補給されないと、内筒体と外筒体とが互いに密着し、凹んだまま維持されるため、内容物が減少するにつれ有効に排出することができなくなってしまうのである。
【先行技術文献】
【特許文献】
【０００７】
【特許文献１】特許第３７９６５９５号
【特許文献２】特許第４２８１４５４号
【特許文献３】特許第３７４５８９７号
【発明の概要】
【発明が解決しようとする課題】
【０００８】
従って、本発明の目的は、内筒体と外筒体との間に安定して空気を導入することができ、内筒体に充填された内容物の排出を常に効果的に行うことが可能な延伸ブロー二重容器及びその製造方法を提供することにある。
【課題を解決するための手段】
【０００９】
本発明によれば、外筒体と、該外筒体の内部に挿入された内筒体とからなる延伸ブロー二重容器において、
前記外筒体は、首部と、該首部に連なっている肩部、肩部から下方に延びている胴部、及び胴部の下端を閉じている底部とからなり、該肩部、胴部及び底部は、内袋の延伸ブローによって賦形されたものであり、
前記内筒体は、首部と、該首部に連なっており且つ延伸ブローにより賦形された袋状部とからなり、
前記外筒体の肩部の内面と前記内筒体の袋状部の外面との間には、両者を一時的に係合させるための凹凸が形成されており、少なくとも内筒体内に内容物が充填された状態においては、該凹凸が非係合状態に保持されており、これにより、外筒体の内面と内筒体の外面との間に空気層が形成されていることを特徴とする延伸ブロー二重容器が提供される。
【００１０】
本発明の延伸ブロー二重容器においては、
（１）前記外筒体の首部には、前記空気層に通じる空気孔が形成されていること、
（２）前記凹凸は、それぞれ、容器軸方向に延びていること、
が好適である。
【００１１】
本発明によれば、また、何れもが試験管形状を有しており、非成形部である首部と延伸ブロー成形される管状部とを有する外筒体用プリフォームと内筒体用プリフォームとを用意し、該外筒体用プリフォームの内部に内筒体用プリフォームを挿入した状態で延伸ブロー成形を行うことにより延伸ブロー二重容器を製造する方法において、
前記内筒体用プリフォームを外筒体用プリフォームに挿入して二重構造プリフォームを組み立て、
前記二重構造プリフォームの組立体を、外筒体の肩部に一時的係合用凹凸を形成するための凹部または凸部を備えたブロー金型内に配置して延伸ブロー成形を行い、
延伸ブロー成形後に、容器形状に賦形された外筒体と内筒体とを周方向に相対的に位置ずれさせるにより、外筒体及び内筒体に形成されている一時的係合用凹凸を非係合状態に保持することを特徴とする延伸ブロー二重容器の製造方法が提供される。
この製造方法においては、
（３）前記外筒体用プリフォームの首部には、空気孔が形成されていること、
が好ましい。
【発明の効果】
【００１２】
本発明の延伸ブロー二重容器では、外筒体の内部に袋状の内筒体が挿入されて保持されており、かかる外筒体と内筒体には、互いに一時的に係合し得る凹凸が形成されており、この凹凸が互いに非係合状態で存在している。即ち、この凹凸は、互いに係合しないように位置ずれした状態で存在している。この結果として、外筒体と内筒体の間に空気層が形成されていることが、本発明の最大の特徴である。
即ち、外筒体用のプリフォームの内部に内筒用のプリフォームを挿入した状態で延伸ブロー成形を行って二重容器を製造する場合、内筒体用のプリフォームが延伸され、延伸された内筒用プリフォームの外面が外筒体用プリフォームの内面に密着し、外筒体用プリフォームを延伸せしめ、外筒体用プリフォームの外面がブロー金型面に密接して冷却され、これにより、内筒用プリフォーム及び外筒体用プリフォームが互いに密着した状態で容器形状に賦形され、延伸ブロー二重容器が得られる。このため、このままの状態では、外筒体の肩部の内面には、内筒体の袋状部の外面が密着した状態にある。しかるに、本発明では、通常であれば密着している部分に積極的に空気層（空隙）を形成するわけである。
【００１３】
本発明において、このような空気層となる空隙には、外筒体の首部に形成されている空気孔が通じている。このため、外筒体の胴部を押圧して袋状の内筒体内に充填されている内容物を排出した後、外筒体の押圧を停止して外筒体の胴部を原形に弾性復帰させると、外筒体の肩部の内面と内筒体の外面との間に空気層（空隙）が形成されているため、外筒体の首部に形成されている空気孔を通して、該空気層を介して原形に復帰した外筒体の胴部の内面と、凹んで収縮した内筒体の外面との間に空気が導入されるため、凹んで収縮した内筒体の形態がそのまま維持されることとなる。即ち、再び外筒体の胴部を押圧して変形させると、この空気層を介して内筒体が押圧され、内筒体内の内容物が排出され、内筒体の袋状部はさらに収縮することになる。このようにして、本発明では、繰り返し、内容物の排出を安定に行うことができる。
【００１４】
例えば、上記のような空気層が形成されておらず、外筒体の内面が内筒体の外面に密着していると、内容物を排出し内筒体内が減圧状態となった際、外筒体の胴部内面と内筒体の胴部外面の間に空気が有効に導入されず、外筒体と内筒体がともに凹んだ状態で維持される。即ち、内容物が減少すればするほど押圧が困難になり、結局、内容物の排出を安定に行うことが困難となる。
【００１５】
また、本発明の延伸ブロー二重容器は、これを形成するための二重プリフォーム（外筒体用プリフォーム及び内筒用プリフォーム）を、延伸ブロー成形に供し、外筒体及び内筒体のそれぞれに形成されている凹凸が互いに係合している状態にある二重容器前駆体を成形し、この前駆体について、互いに密着している外筒体と内筒体とを周方向に相対的に位置ずれさせることにより、容易に製造することができる。
【図面の簡単な説明】
【００１６】
【図１】本発明の延伸ブロー二重容器の側断面図。
【図２】図１の二重容器のＡ−Ａ平断面図。
【図３】図１の延伸ブロー二重容器の要部を拡大して示す部分拡大側断面図。
【図４】図１の延伸ブロー二重容器における空気層を形成する方法を説明するための図。
【図５】図１の延伸ブロー二重容器の首部に逆止弁付キャップが装着された状態を示す側断面図。
【発明を実施するための形態】
【００１７】
図１〜図３を参照して、全体として２０で示されている本発明の延伸ブロー二重容器は、外筒体１と、外筒体１内に挿入されている内筒体３とから構成されている。
【００１８】
外筒体１は、首部１ａと、首部１ａの下端に連なって外方に広がっている肩部１ｂ、肩部１ｂから下方に延びている胴部１ｃ、及び胴部１ｃの下端を閉じている底部１ｄとからなっており、内筒体３も、外筒体１と同様、首部３ａと、首部３ａの下端に連なって外方に広がっている肩部３ｂ、肩部３ｂから下方に延びている胴部３ｃ、及び胴部３ｃの下端を閉じている底部３ｄとからなっている。
【００１９】
外筒体１及び内筒体３の首部（ノズル部）１ａ，３ａは、何れも、後述する延伸ブロー成形において、ブロー延伸されない固定部（非延伸部）であり、剛性を有している部分であり、首部１ａ、３ａよりも下方の肩部１ｂ、３ｂ、胴部１ｃ、３ｃ及び底部１ｄ、３ｄが、何れもブロー延伸により賦形された延伸成形部である。
【００２０】
外筒体１において、その首部１ａの外面には、この外筒体１の搬送や把持に利用されるサポートリング５が形成されており、さらに、首部１ａの下端に連なる肩部１ｂ、胴部１ｃ及び底部１ｄは、形態保持性を有するような厚みに形成されており、特に胴部１ｃは、外部から手で押圧したときに容易に凹むが、押圧を解除すると、速やかに原形に弾性復帰するようになっている。
【００２１】
一方、内筒体３は、上記の外筒体１の内部に挿入されるものであるが、その首部３ａは、外筒体１の首部１ａから突出しており、この突出している部分において、後述する逆止弁付キャップを係合保持するための螺条９が形成されており、この螺条９の下方部分に、外筒体１のサポートリング５よりも小径のリング状突起７が形成されており、このリング状突起７の下面には、外筒体１の首部１ａの上端が当接している。即ち、リング状突起７は、内筒体３の把持や搬送に利用されると共に、外筒体１の位置を規制する部材としても機能するものである。
また、内筒体３の延伸成形部（肩部３ｂ、胴部３ｃ及び底部３ｄ）は袋状の形態保持性を有していない部分であり、薄肉に形成されている。
【００２２】
上記のような外筒体１の首部１ａの上端部分の内面は、内筒体３の首部３ａのリング状突起７の下側部分の外面に密着しており、これにより、内筒体３は、外筒体１にしっかりと保持されている。この密着部分は、嵌合部Ａとして図３に示されている。
また、上記の嵌合部Ａの下側において、外筒体１の首部１ａの内面と内筒体３の首部３ａの外面との間には空隙１１が形成されており、さらに、この空隙１１に連通するように、外筒体１の首部１ａには、空気孔１３が設けられている。
即ち、上記の嵌合部Ａの下側の部分において、外筒体１の首部１ａの内径は、内筒体３の首部３ａの外径よりも大きく形成されており、この差の分に対応して、空隙１１が周状に形成されることとなる。
また、外筒体用プリフォーム内に内筒体用プリフォームをスムーズに挿入し得るように、外筒体用プリフォームの首部下方の管状部（延伸成形部）の内径は、内筒体用プリフォームの首部下方の管状部（延伸成形部）の外径よりも若干大きく設定される。挿入時にベント（空気抜け）が行われるようにするためである。
【００２３】
このような二重容器２０において、本発明では、外筒体１の肩部１ｂには、外方に突出しており且つ軸方向に延びている凸部１５ａが形成されており、同様に、内筒体３の肩部３ｂにも、外方に突出しており且つ軸方向に延びている凸部１５ｂが形成されている。かかる凸部１５ａ、１５ｂは、一時的に係合し得るものであり、例えば内筒体３の凸部１５ｂは、外筒体１の凸部１５ａが形成する凹部と同一形状であり、この凹部内にすっぽり入る形状を有している。
本発明では、このように互いに一時的に係合し得る凸部１５ａ，１５ｂが、図２に示されているように、周方向に位置ずれして存在しており、この結果、外筒体１の肩部１ｂの内面と内筒体３の肩部３ｂの外面との間に空気層１７（即ち、間隙）が形成されており、この空気層１７は、上記の空隙１１を介して空気孔１３に連通している。
【００２４】
即ち、外筒体１の成形に用いる試験管状のプリフォーム（外筒体用プリフォーム）内に、内筒体３の成形に用いる試験管状のプリフォーム（内筒体用プリフォーム）を挿入し、この状態で内筒体用プリフォーム内にブロー流体を吹き込んでブロー成形を行った場合、内筒体用プリフォームの延伸によって外筒体用プリフォームが押し広げられて成形されるため、通常、内筒体３の首部３ａよりも下方の延伸成形部（肩部３ｂ、胴部３ｃ及び底部３ｄ）は、外筒体１の首部１ａよりも下方の延伸成形部（肩部１ｂ、胴部１ｃ及び底部ｄ）の内面に密着した状態で得られる。
しかるに、本発明では、図２から理解されるように、外筒体１の肩部１ｂ及び内筒体の肩部３ｂに、一時的に係合し得る凸部１５ａ，１５ｂが形成されており且つ両者の位置が周方向にずれて存在しているため、本来、互いに密着しているはずの部分に空気層１７が形成されたものとなっている。
【００２５】
上記のような構造を有する本発明の二重容器を製造するにあたっては、外筒体用プリフォーム内に、内筒体用プリフォームを挿入し、これらのプリフォームを延伸成形温度に加熱した後、ストレッチロッドにより適宜一軸方向の延伸を行った後、内筒体用プリフォーム内にブロー流体を吹き込むことによって延伸ブロー成形が行われる。
【００２６】
即ち、試験管形状を有している外筒体用プリフォーム及び内筒体用プリフォームは、何れも、所定の熱可塑性樹脂を用いての射出成形等の成形により得られるものであり、前述した首部１ａ、３ａと同一形状の非延伸部を有しており、この非延伸部の下方部分が延伸成形により、肩部１ｂ、３ｂ、胴部１ｃ、３ｃ及び底部１ｄ、３ｄを形成する延伸成形部分となっている。このような外筒体用プリフォームの内部に内筒体用プリフォームを挿入し、嵌合固定することにより、図１、図３に示されているように、首部１ａの上端が首部３ａのリング状突起９の下面に当接し、さらに首部１ａに形成されている空気孔１３に連なる空隙１１が、首部３ａの外面と首部１ａの内面に形成され、そのまま、首部１ａ、３ａの下方の延伸成形部が延伸ブロー成形されて、肩部１ｂ、３ｂ、胴部１ｃ、３ｃ及び底部１ｄ、３ｄが形成されることとなる。
【００２７】
ところで、上記のようにして延伸ブロー成形されると、上記プリフォームの延伸成形部を取り囲むように配置されているブロー金型の表面には、前述した凸部１５ａに相当する凹部が形成されている。このため、延伸ブロー成形直後の二重容器（前駆体）においては、図４（ａ）に示されているように、外筒体１の肩部１ｂに形成されている凸部１５ａと内筒体３の肩部３ｂに形成されている凸部１５ｂとが互いに係合しており、従って、外筒体１と内筒体３とはぴったりと密着した状態にある。即ち、内筒体用プリフォームの延伸成形部が、ブロー流体の吹込みにより延伸され、これにより、外筒体用のプリフォームの延伸成形部が押し広げられ、ブロー金型表面が形成するボトル形状に賦形されるからである。
従って、この延伸ブロー成形直後においては、内筒体３の延伸部（肩部３ｂ、胴部３ｃ、底部３ｄ）の外面は、何れも、外筒体１の（肩部１ｂ、胴部１ｃ、底部１ｄ）の内面に密着した状態にあり、両者の間に空気層は形成されていない。
【００２８】
しかるに、本発明においては、上記のようにして成形された二重容器の前駆体について、その外筒体１の首部１ａと内筒体３の首部３ａとを相対的に回転せしめる。即ち、内筒体３の延伸成形部（肩部１ｂ、胴部１ｃ、底部１ｄ）は袋状の形態保持性を有していないものであるから、図４（ａ）に示されている凸部１５ｂを形成している肩部３ｂは容易に撓み、凸部１５ａが形成している凹部内から解放され（一時的係合が解除される）、図４（ｂ）に示されているように、凸部１５ａと凸部１５ｂとは周方向に位置ずれし、この結果、図１及び図３に示されているように、外筒体１の肩部１ｂの内面と内筒体３の肩部３ｂの外面との間に、空隙１１を介して空気孔１３に通じている空気層１７が形成されることとなる。
尚、上記のように外筒体１の首部１ａと内筒体３の首部３ａとを相対的に回転した場合においても、空隙１１は周状に形成されているため、空気孔１３と空隙１１との連通状態が遮断されることはない。
【００２９】
尚、上述した本発明においては、外筒体１の肩部１ｂ及び内筒体３の肩部３ｂには、それぞれ、外方に突出している凸部１５ａ，１５ｂが形成されているが、このような凸部の代わりに、内方に突出している凹部を形成することもできる。この場合には、ブロー金型の表面には、このような凹部に対応する凸部が形成されることとなる。
【００３０】
また、図２に示されているように、上記の例では、凸部１５ａ，１５ｂが、それぞれ、点対称的に４個形成されているが、外筒体１の肩部１ｂと内筒体３の肩部３ｂとの間に空隙１１と通じる空気層１７が形成される限りにおいて、この数は４個に限定されるものではなく、１個でもよいし、或いはさらに多くの凸部１５ａ，１５ｂ（或いは凹部）を形成することもできる。但し、一般的には、この二重容器２０の外観を考慮して、通常は、複数の凸部１５ａ，１５ｂ（或いは凹部）が点対称的に形成される。
【００３１】
さらに、凸部１５ａ，１５ｂの軸方向長さや高さ、或いは両者の位置ずれの程度（図４で示されている角度θ）についても、外筒体１の肩部１ｂと内筒体３の肩部３ｂとの間に空隙１１と通じる空気層１７が形成されるように適宜の範囲に設定すればよく、例えば、このような空気層１７が形成されるのであれば、凸部１５ａ，１５ｂが胴部にまで延びていてもよい。
【００３２】
上記のような構造を有する本発明の二重容器２０は、内筒体３に内容物を収容した後、この外筒体１の首部１ａと、この首部１ａから突出している内筒体３の首部３ａとから形成されているノズル部に逆止弁付キャップを装着して使用に供される。
即ち、本発明の二重容器２０では、本来密着しているはずの外筒体１の肩部１ｂの内面と内筒体３の肩部３ｂとの間に空気層１７が形成されており、この空気層１７が、空隙１１を介して空気孔１３と連通しており、空気導入部として有効に機能する。このため、逆止弁付キャップを装着し、外筒体１の胴部１ｃの外面を押圧しての内容物の排出操作を行った場合、外筒体１と内筒体３の胴部３ｃや底部３ｄとの間に有効に空気が導入され、安定して、内容物の排出操作を行うことができる。
【００３３】
図５には、このような逆止弁付キャップが装着された上記容器２０のノズル部の状態が示されている。
即ち、全体として５０で示されている逆止弁付キャップは、従来公知の構造を有しているものでよく、例えば、二重容器２０のノズル部に被せられているキャップ本体５１と、ノズル部の上端の開口部（内筒体３の首部３ａの開口）に嵌め込まれている中栓５３とを備えている。
尚、図５では省略されているが、キャップ本体５１には、通常、上蓋はヒンジ連結されており、この上蓋を開放した状態で内容物の排出が行われる。
【００３４】
キャップ本体５１は、頂板部５５と、頂板部５５の周縁から降下している筒状側壁５７とから形成されている。
頂板部５５には、中央部に内容物注出用の開口５９が形成されており、この開口５９の周縁から、注ぎ出される内容物の案内となる注出筒６１が上方に延びている。また、この頂部には、注出筒６１の外側となる位置に、空気導入用の開口６３が形成されている。
さらに、筒状側壁５７の内面には、二重結合容器２０のノズル部（内筒体３の首部３ａ）の外面に設けられている螺条９と係合する螺子突起６５が形成されており、螺条９と螺子突起６５との螺子係合により、このキャップ本体５１は、ノズル部に被せられた状態で安定に保持される。
尚、螺条９および螺子突起６５はそのどちらか、あるいは両側が断続的に切りかかれており、互いが係合している状態であっても、切り欠かれた部分を空気が流れるようになっている。また、筒状側壁５５の下端部分は、その内面が外筒体１の首部１ａに形成されているサポートリング５と密着し、この部分から空気が漏洩しないようにされている。
【００３５】
一方、中栓５３は、ノズル部の開口部に嵌め込まれる筒状形状を有する第１の栓体７１と、この第１の栓体７１に嵌め込まれた第２の栓体７３とから構成されている。
【００３６】
第１の栓体７１は、その下端部（底部）が第１の弁７１ａにより閉じられており、内容物の排出に際しては、容器内圧によって、この弁７１ａは上方に開き、開いた部分を内容物が通るようになっている。
また、第１の栓体７１の上方部分には、外方に延びているフランジ７１ｂが設けられており、このフランジ７１ｂの下端がノズル部の上端面にしっかりと密着することにより、第１の栓体７１がノズル部にしっかりと保持される。
【００３７】
第２の栓体７３は、この第１の栓体７１の上部開口に嵌め込まれるため、第１の栓体１と同様、筒状形状を有しているが、その上端には、外方に延びている環状形状の第２の弁７３ａが設けられている。この第２の弁７３ａは、常態では、キャップ本体５１の頂板部５５に形成されている開口６３を閉じるように位置しているが、内容物の排出終了後には、垂れ下がって開口６３を開放し、この開口６３を通って空気が流れるようになっている。
【００３８】
即ち、図５を参照して、内筒体３に内容物が充填されている二重容器２０から内容物を排出するには、逆止弁付キャップ５０に設けられている上蓋を開けた後、この容器２０の胴部１ｃ（外筒体１）の外面を押圧し、これを凹ませる。これにより、内筒体３の胴部３ｃも凹まされ、その押圧力により、内筒体３内の内容物は、第１の弁７１ａを上方に開け、矢線Ｐに示されているように、中栓５３（第１の栓体７１及び第２の栓体７３）の内部を通り、さらに開口５９及び注出筒６１を通って外部に排出されることとなる。このように、内筒体３内に充填された内容物は、内筒体３が凹まされた分だけ排出されることとなる。
【００３９】
一方、容器２０の胴部１ｃ（外筒体１）の外面の押圧を停止すると、この胴部１ｃは、元の形態に弾性復帰するが、内筒体３の胴部３ｃは元の状態に弾性復帰しないため、内筒体３と外筒体１との間に、大気圧よりも低い減圧状態の空隙が生じる。このため、第２の栓体７３の第１の弁７３ａが下方に垂れ下がり、開口６３が開放され、この結果、矢印Ｑに示されているように、空気が開口６３を通ってノズル部の外面とキャップ本体５１（筒状側壁５７）の内面との間を通り、ノズル部（外筒体１の首部１ａ）に形成されている空気孔１３を通り、さらに空隙１１から空気層１７を通って速やかに空気が導入されることとなる。
【００４０】
このように、内筒体３と外筒体１の胴部１ｃとの間に形成される空隙に空気が導入された後、再び容器２０の胴部１ｃ（外筒体１）の外面を押圧すると、空隙に導入された空気は、第２の弁７３により開口６３が閉じられるために外部に放出されることがなく、従って、内筒体３は空気層を介して押圧されて凹み、この結果、再び、内筒体３内の内容物は、上記と同様、凹まされた分だけ外部に排出されることとなる。
【００４１】
このようにして、内筒体３に充填された内容物は、押圧された凹んだ分ずつ排出されていくわけであるが、内容物が排出された場合にも内筒体３内に空気が導入されることはなく、従って、内容物の酸化劣化が有効に防止され、この内容物の鮮度が有効に保持されることとなる。
【００４２】
本発明において、外筒体１や内筒体３は、上記のようにブロー成形が可能であるかぎり、種々の熱可塑性樹脂で形成することができる。
このような熱可塑性樹脂としては、例えば、以下のものを例示することができる。
オレフィン系樹脂、例えば、低密度ポリエチレン、高密度ポリエチレン、ポリプロピレン、ポリ１−ブテン、ポリ４−メチル−１−ペンテンあるいはエチレン、プロピレン、１−ブテン、４−メチル−１−ペンテン等のα−オレフィン同士のランダムあるいはブロック共重合体、環状オレフィン共重合体など；
エチレン・ビニル系共重合体、例えば、エチレン・酢酸ビニル共重合体、エチレン・ビニルアルコール共重合体、エチレン・塩化ビニル共重合体等；
スチレン系樹脂、例えば、ポリスチレン、アクリロニトリル・スチレン共重合体、ＡＢＳ、α−メチルスチレン・スチレン共重合体等；
ビニル系樹脂、例えば、ポリ塩化ビニル、ポリ塩化ビニリデン、塩化ビニル・塩化ビニリデン共重合体、ポリアクリル酸メチル、ポリメタクリル酸メチル等；
ポリアミド樹脂、例えば、ナイロン６、ナイロン６−６、ナイロン６−１０、ナイロン１１、ナイロン１２等；
ポリエステル樹脂、例えば、ポリエチレンテレフタレート（ＰＥＴ）、ポリブチレンテレフタレート、ポリエチレンナフタレート、及びこれらの共重合ポリエステル等；
ポリカーボネート樹脂；
ポリフエニレンオキサイド樹脂；
生分解性樹脂、例えば、ポリ乳酸など；
勿論、成形性が損なわれない限り、これらの熱可塑性樹脂のブレンド物を、下地樹脂として使用することもできる。
本発明において、特に好適に使用される熱可塑性樹脂は、ポリエステル系樹脂及びオレフィン系樹脂であり、さらに、用途上外筒体１と内筒体３の間には空気が流入するため、外筒体１を形成する外筒プリフォーム１には水分及びガスバリア性は必ずしも必要ではなく、水分及びガスバリア性の低いポリ乳酸も好適に使用することができる。
【００４３】
また、外筒体１や内筒体３にガスバリア性を付与するために、これらを形成するための外筒体用プリフォームや内筒体用プリフォームを多層構造とすることもできる。
例えば、前述したポリエステル系樹脂やオレフィン系樹脂（或いはポリ乳酸）等から形成された内外層の間に中間層として、エチレンビニルアルコール共重合体（エチレン酢酸ビニル共重合体ケン化物）や芳香族ポリアミドなどのガスバリア性樹脂を用いて形成されるガスバリア層を設けることが好ましく、特にエチレンビニルアルコール共重合体によるガスバリア層を設けることが最も好適である。即ち、中間層としてガスバリア層を設けることにより酸素バリア性を付与することができ、特にエチレンビニルアルコール共重合体は、特に優れた酸素バリア性を示すため、酸素透過による内容物の酸化劣化をも有効に抑制することができ、優れた内容物保存性を確保することができる。
【００４４】
また、上記のようなガスバリア層を設ける場合には、内外層との接着性を高め、デラミネーションを防止するために、接着剤樹脂層を設けることもでき、これにより、中間層のガスバリア層をしっかりと内外層に接着固定することができる。このような接着樹脂層の形成に用いる接着剤樹脂はそれ自体公知であり、例えば、カルボニル基（＞Ｃ＝Ｏ）を主鎖若しくは側鎖に１乃至１００ｍｅｑ／１００ｇ樹脂、特に１０乃至１００ｍｅｑ／１００ｇ樹脂の量で含有する樹脂、具体的には、マレイン酸、イタコン酸、フマル酸などのカルボン酸もしくはその無水物、アミド、エステルなどでグラフト変性されたオレフィン樹脂；エチレン−アクリル酸共重合体；イオン架橋オレフィン系共重合体；エチレン−酢酸ビニル共重合体；などが接着性樹脂として使用される。
【００４５】
本発明においては、特に内筒体３に高い酸素バリア性も付与することが好ましく、従って、内筒体３に、上述した多層構造を採用し、外筒体１にはポリ乳酸のようなバイオプラスチックを用いることで性能、環境面ともに好適である。
【００４６】
上述した本発明の二重容器は、長期間にわたって高い鮮度を保持することができ、しかも、内容物を小出しできることから、醤油等の調味液用の容器として極めて有用である。
【符号の説明】
【００４７】
１：外筒体
１ａ：首部
１ｂ：肩部
１ｃ：胴部
１ｄ：底部
３：内筒体
３ａ：首部
３ｂ：肩部
３ｃ：胴部
３ｄ：底部
５：サポートリング
７：リング状突起
９：螺条
１１：空隙
１３：空気孔
１５ａ，１５ｂ：凸部
１７：空気層
２０：二重容器
【図１】
0006587830.tif 000002
【図２】
0006587830.tif 000003
【図３】
0006587830.tif 000004
【図４】
0006587830.tif 000005
【図５】
0006587830.tif 000006